(57)【要約】【課題】トナー回収用現像剤担持体を設けたハイブリッド現像方式を用いて、トナー回収能力を持続させ、現像履歴（ゴースト）の発生しない高品質の画像を長期に渡って得ることのできる現像装置、及び画像形成装置を提供する。【解決手段】トナー回収した現像剤層を介して、トナー回収用現像剤担持体に、当該トナー回収用現像剤担持体が有する磁極の磁気吸引力によって当接するトナー剥離部材を設け、バイアス電圧を印加してトナーをトナー回収用現像剤担持体から引き離す方向の電界を形成し、トナー回収用現像剤担持体表面へのトナー蓄積を防止する。【選択図】図１
2010078959.tif 000002
【特許請求の範囲】
【請求項１】
トナーとキャリヤとを含む現像剤を収容する現像剤槽と、
前記現像剤槽において混合撹拌された前記現像剤を表面に担持搬送するトナー供給用現像剤担持体と、
前記トナー供給用現像剤担持体から前記トナーの供給を受けて担持搬送し、像担持体上の潜像を現像するトナー担持体と、
前記トナー担持体から現像残トナーを回収するトナー回収用現像剤担持体と、を備えた現像装置であって、
前記トナー回収用現像剤担持体上のトナー回収した現像剤層を介して、前記トナー回収用現像剤担持体に当接するトナー剥離部材と、
前記現像剤層中のトナーを前記トナー回収用現像剤担持体から引き離す方向の電界を形成するためのバイアス電圧を前記トナー剥離部材に印加する電源と、を有し、
前記トナー剥離部材は、前記トナー回収用現像剤担持体の有する磁極の磁気吸引力により前記トナー回収用現像剤担持体に当接する
ことを特徴とする現像装置。
【請求項２】
前記トナー剥離部材は、フィルム部材である
ことを特徴とする請求項１に記載の現像装置。
【請求項３】
前記トナー剥離部材は、前記フィルム部材の背面側に磁性部材を設けた
ことを特徴とする請求項２に記載の現像装置。
【請求項４】
前記磁性部材は不連続体であることを特徴とする請求項３に記載の現像装置。
【請求項５】
前記磁性部材は可撓性を有することを特徴とする請求項３に記載の現像装置。
【請求項６】
前記フィルム部材は磁性体粒子を分散して含む
ことを特徴とする請求項２に記載の現像装置。
【請求項７】
前記トナー剥離部材は、前記トナー回収用現像剤担持体の有する磁極と対向する位置に配設される
ことを特徴とする請求項１乃至６の何れか１項に記載の現像装置。
【請求項８】
請求項１乃至７の何れか１項に記載された現像装置を備える
ことを特徴とする画像形成装置。
【発明の詳細な説明】
【技術分野】
【０００１】
本発明は、キャリヤとトナーとを含む現像剤を用い、トナー担持体にトナーを供給するためのトナー供給用現像剤担持体と、供給されたトナーで潜像を現像するためのトナー担持体と、トナー担持体から現像残トナーを回収するためのトナー回収用現像剤担持体と、を設けたハイブリッド現像装置、及びそれを用いる画像形成装置に関する。
【背景技術】
【０００２】
従来、電子写真方式を用いた画像形成装置における現像方式としては、現像剤としてトナーのみを用いる一成分現像方式及びトナーとキャリヤを用いる二成分現像方式が知られている。
【０００３】
一成分現像方式では、装置の簡略化、小型化、低コスト化の面で有利である一方、トナーを帯電させる規制部の強いストレスによりトナーの劣化が促進され易く、トナーの電荷受容性が低下しやすい。さらに、トナー規制部材やトナー担持体表面がトナーや外添剤により汚染されることでトナーへの電荷付与性も低下して、結果として現像装置の寿命が短くなってしまう。
【０００４】
二成分現像方式ではトナーを、キャリヤとの混合による摩擦帯電で帯電するため、ストレスが小さく、トナーの劣化に対して有利である。さらにキャリヤ表面積が大きいため、トナーや外添剤による汚染に対しても相対的に強く、長寿命化に有利である。
【０００５】
しかしながら、二成分現像法では像担持体上の静電潜像を現像する際に、現像剤の磁気ブラシによって像担持体表面を摺擦するため、磁気ブラシ痕が発生することがある。さらに、像担持体にキャリヤが付着しやすく、画像欠陥となる問題がある。
【０００６】
二成分現像方式の長寿命の特長を有しながら、画像欠陥の問題を解決する現像方式として、現像剤担持体上に二成分現像剤を担持し二成分現像剤からトナーのみをトナー担持体に供給して現像に用いる、所謂ハイブリッド現像方式が開示されている（特許文献１参照）。
【０００７】
しかしながら、ハイブリッド現像方式においては、トナー担持体上の現像に使用されなかった現像残トナーが、次の現像工程において現像履歴（ゴースト）として画像上に現れるという問題を有している。これは、現像剤担持体にバイアスを印加して現像に必要なトナーをトナー担持体に供給することを優先するため、現像剤担持体による現像残トナーの回収能力が不足してしまうことに起因している。
【０００８】
近年、この問題を解決するため、ハイブリッド現像方式において、トナー回収用現像剤担持体を加え、トナー担持体上の現像残トナーを回収する電圧を印加する方式が提案されている（特許文献２参照）。特許文献２に記載の技術によれば、トナー回収用現像剤担持体によってトナー担持体上の現像残トナーを確実に回収できるため、初期的には現像履歴（ゴースト）の問題が発生しない。
【０００９】
しかしながら、この方式では、トナー回収用現像剤担持体方向にトナーを引き付ける電圧が常に印加されているため、トナー担持体から回収された現像残トナーや、現像剤中のキャリヤから分離されたトナーが、トナー回収用現像剤担持体表面へ移動し、トナーの偏在が生じる。
【００１０】
このようにトナーがトナー回収用現像剤担持体表面に偏在した状態では、トナー回収用現像剤担持体から現像剤を除去する際に、偏在したトナーがそのままトナー回収用現像剤担持体表面に残留する。その結果、繰り返し使用によってトナー回収用現像剤担持体上にトナーの蓄積が生じる。
【００１１】
帯電したトナーの蓄積は、トナー回収領域での回収電界を阻害し、トナー回収能力を低下させてしまう。このため、初期的には十分であった回収能力は長期間持続せず、画像形成の繰り返しとともにやはりゴースト発生が問題となってくる。
【００１２】
また長期間使用した際には、蓄積したトナーがトナー回収用現像剤担持体表面にフィルミングしてしまう問題も発生する。
【特許文献１】特開平５−１５０６３６号公報
【特許文献２】特開平１０−３１９７０８号公報
【発明の開示】
【発明が解決しようとする課題】
【００１３】
上述したように、ハイブリッド現像方式でのゴースト発生に対処するため技術改善が行われてきたが、十分に要求を満たす技術は提示されていない。
【００１４】
本発明の目的は、上記の課題を解決し、トナー回収用現像剤担持体を設けたハイブリッド現像方式を用いて、トナー回収能力を持続させ、現像履歴（画像メモリ、ゴースト）の発生しない高品質の画像を長期に渡って得ることのできる現像装置、及び画像形成装置を提供することである。
【課題を解決するための手段】
【００１５】
上記の課題を解決するため、本発明は以下のような特徴を有するものである。
【００１６】
１．  トナーとキャリヤとを含む現像剤を収容する現像剤槽と、前記現像剤槽において混合撹拌された前記現像剤を表面に担持搬送するトナー供給用現像剤担持体と、前記トナー供給用現像剤担持体から前記トナーの供給を受けて担持搬送し、像担持体上の潜像を現像するトナー担持体と、前記トナー担持体から現像残トナーを回収するトナー回収用現像剤担持体と、を備えた現像装置であって、前記トナー回収用現像剤担持体上のトナー回収した現像剤層を介して、前記トナー回収用現像剤担持体に当接するトナー剥離部材と、前記現像剤層中のトナーを前記トナー回収用現像剤担持体から引き離す方向の電界を形成するためのバイアス電圧を前記トナー剥離部材に印加する電源と、を有し、前記トナー剥離部材は、前記トナー回収用現像剤担持体の有する磁極の磁気吸引力により前記トナー回収用現像剤担持体に当接することを特徴とする現像装置。
【００１７】
２．  前記トナー剥離部材は、フィルム部材であることを特徴とする１に記載の現像装置。
【００１８】
３．  前記トナー剥離部材は、前記フィルム部材の背面側に磁性部材を設けたことを特徴とする２に記載の現像装置。
【００１９】
４．  前記磁性部材は不連続体であることを特徴とする３に記載の現像装置。
【００２０】
５．  前記磁性部材は可撓性を有することを特徴とする３に記載の現像装置。
【００２１】
６．  前記フィルム部材は磁性体粒子を分散して含むことを特徴とする２に記載の現像装置。
【００２２】
７．  前記トナー剥離部材は、前記トナー回収用現像剤担持体の有する磁極と対向する位置に配設されることを特徴とする１乃至６の何れか１項に記載の現像装置。
【００２３】
８．  １乃至７の何れか１項に記載された現像装置を備えることを特徴とする画像形成装置。
【発明の効果】
【００２４】
本発明によれば、トナー回収用現像剤担持体によってトナー担持体上の現像残トナーの回収を確実に行い、またトナー回収用現像剤担持体へのトナーの蓄積を回避できるため、常にトナー担持体上に安定したトナー層が供給される。
【００２５】
これにより、トナー回収能力が持続し、ゴーストの問題が発生しない高画質の画像を長期に渡って得ることができる現像装置及び画像形成装置が提供できる。
【発明を実施するための最良の形態】
【００２６】
本発明の実施の形態について、以下に図面を用いて説明する。
【００２７】
（画像形成装置の構成と動作）
図１に、本発明の一実施形態による画像形成装置の主要部の構成例を示す。図１を用いて画像形成装置の概略構成と動作を説明する。
【００２８】
本画像形成装置は、電子写真方式により像担持体（感光体）１に形成されたトナー像を用紙等の転写媒体Ｐに転写して画像形成を行うプリンタである。
【００２９】
本画像形成装置は、画像を担持するための像担持体１を有しており、像担持体１の周囲には、像担持体１を帯電するための帯電部材３、像担持体１上の静電潜像を現像する現像装置２、像担持体１上のトナー像を転写するための転写ローラ５、及び像担持体１上の残留トナー除去用のクリーニングブレード６が、像担持体１の回転方向Ａに沿って順に配置されている。
【００３０】
像担持体１は、帯電部材３で帯電された後に、図中のＥ点の位置でレーザ発光器などを備えた露光装置４により露光されて、その表面上に静電潜像が形成される。現像装置２は、この静電潜像を現像し、トナー像を形成する。転写ローラ５は、この像担持体１上のトナー像を転写媒体Ｐに転写した後、図中の矢印Ｆ方向に排出する。クリーニングブレード６は、転写後の像担持体１上の残留トナーを機械的な力で除去する。
【００３１】
画像形成装置に用いられる像担持体１、帯電部材３、露光装置４、転写ローラ５、クリーニングブレード６等は、周知の電子写真方式の技術を任意に使用してよい。例えば、帯電部材３として図中、帯電ローラが示されているが、像担持体１と非接触の帯電装置であってもよい。また例えば、クリーニングブレードはなくてもよい。
【００３２】
次に、本実施形態に係るハイブリッド現像方式の現像装置２の構成例を説明する。
【００３３】
現像装置２は、以下の構成要素を備える。すなわち、トナーとキャリヤを含む現像剤２４を収容する現像剤槽１６、現像剤槽１６から供給された現像剤２４を表面に担持して搬送するトナー供給用現像剤担持体１１、トナー供給用現像剤担持体１１からトナー供給領域７においてトナーの供給を受け、前記像担持体１上に形成された静電潜像を現像するトナー担持体２５、現像領域８を通過した後にトナー担持体２５上に残留する現像残トナーをトナー回収領域９において回収するトナー回収用現像剤担持体２６を備える。
【００３４】
またトナー回収領域９通過後のトナー回収用現像剤担持体２６表面に偏在したトナーを引き付け、トナー回収用現像剤担持体２６表面から引き離すトナー剥離部材（フィルム部材）４１を備える。これにより、現像剤分離領域で分離される現像剤とともに回収トナーを現像剤槽１６に戻す構成となっており、トナー担持体２５上のトナー層を常にリフレッシュ可能になっている。
【００３５】
また現像装置２は、トナー担持体２５に現像バイアス電圧Ｖｂ２を供給するトナー担持体用バイアス電源３１、トナー供給用現像剤担持体１１にトナー供給バイアス電圧Ｖｂ１を供給するトナー供給用現像剤担持体用バイアス電源３２、トナー回収用現像剤担持体２６にトナー回収バイアス電圧Ｖｂ３を供給するトナー回収用現像剤担持体用バイアス電源３３、トナー剥離部材４１にトナー剥離バイアス電圧Ｖｂ４を供給するトナー剥離用バイアス電源３４を備える。
【００３６】
現像装置２の詳細な構成と動作については、後述する。
【００３７】
（現像剤の構成）
本実施形態に係る現像装置において使用する現像剤の構成について説明する。
【００３８】
本実施形態において使用する現像剤２４はトナーと該トナーを帯電するためのキャリヤを含んでなるものである。
【００３９】
＜トナー＞
トナーとしては、特に限定されず、一般に使用されている公知のトナーを使用することができ、バインダー樹脂中に着色剤や、必要に応じて荷電制御剤や離型剤等を含有させ、外添剤を処理させたものを使用できる。トナー粒径としてはこれに限定されるものではないが、３〜１５μｍ程度が好ましい。
【００４０】
このようなトナーを製造するにあたっては、一般に使用されている公知の方法で製造することができる。例えば、粉砕法、乳化重合法、懸濁重合法等を用いて製造することができる。
【００４１】
トナーに使用するバインダー樹脂としては、これに限定されるものではないが、例えば、スチレン系樹脂（スチレンまたはスチレン置換体を含む単重合体または共重合体）やポリエステル樹脂、エポキシ系樹脂、塩化ビニル樹脂、フェノール樹脂、ポリエチレン樹脂、ポリプロピレン樹脂、ポリウレタン樹脂、シリコーン樹脂などが挙げられる。これらの樹脂単体もしくは複合体により、軟化温度が８０〜１６０℃の範囲のものを、またガラス転移点が５０〜７５℃の範囲のものを用いることが好ましい。
【００４２】
また、着色剤としては、一般に使用されている公知のものを用いることができ、例えば、カーボンブラック、アニリンブラック、活性炭、マグネタイト、ベンジンイエロー、パーマネントイエロー、ナフトールイエロー、フタロシアニンブルー、ファーストスカイブルー、ウルトラマリンブルー、ローズベンガル、レーキーレッド等を用いることができ、一般に上記のバインダー樹脂に対して２〜２０質量％の割合で用いることが好ましい。
【００４３】
また、上記の荷電制御剤としても、公知のものを用いることができ、正帯電性トナー用の荷電制御剤としては、例えばニグロシン系染料、４級アンモニウム塩系化合物、トリフェニルメタン系化合物、イミダゾール系化合物、ポリアミン樹脂などがある。負帯電性トナー用荷電制御剤としては、Ｃｒ、Ｃｏ、Ａｌ、Ｆｅ等の金属含有アゾ系染料、サリチル酸金属化合物、アルキルサリチル酸金属化合物、カーリックスアレーン化合物などがある。荷電制御剤は一般に上記のバインダー樹脂に対して０．１〜１０質量％の割合で用いることが好ましい。
【００４４】
また、上記の離型剤としても、一般に使用されている公知のものを用いることができ、例えば、ポリエチレン、ポリプロピレン、カルナバワックス、サゾールワックス等を単独あるいは２種類以上組み合わせて使用することができ、一般に上記のバインダー樹脂に対して０．１〜１０質量％の割合で用いることが好ましい。
【００４５】
また、上記の外添剤としても、一般に使用されている公知のものを用いることができ、例えば、シリカ、酸化チタン、酸化アルミニウム等の無機微粒子や、アクリル樹脂、スチレン樹脂、シリコーン樹脂、フッ素樹脂等の樹脂微粒子を使用することができ、特にシランカップリング剤やチタンカップリング剤やシリコーンオイル等で疎水化したものを用いるのが好ましい。そして、このような流動化剤を上記のトナーに対して０．１〜５質量％の割合で添加させて用いるようにする。外添剤の個数平均一次粒径は１０〜１００ｎｍであることが好ましい。
【００４６】
さらに上記外添剤として、トナーと逆極性の荷電性を有する逆極性粒子を使用してもよい。好適に使用される逆極性粒子はトナーの帯電極性によって適宜選択される。
【００４７】
トナーとして負帯電性トナーを用いる場合、逆極性粒子としては、正帯電性を有する微粒子が用いられ、例えば、チタン酸ストロンチウム、チタン酸バリウム、アルミナ等の無機微粒子やアクリル樹脂、ベンゾグァナミン樹脂、ナイロン（登録商標）樹脂、ポリイミド樹脂、ポリアミド樹脂等の熱可塑性樹脂あるいは熱硬化性樹脂で構成された微粒子を使用することができる。また樹脂中に正帯電性を付与する正荷電制御剤を含有させたり、含窒素モノマーの共重合体を構成するようにしてもよい。
【００４８】
上記の正荷電制御剤としては、例えば、ニグロシン染料、４級アンモニウム塩等を使用することができ、また上記の含窒素モノマーとしては、アクリル酸２−ジメチルアミノエチル、アクリル酸２−ジエチルアミノエチル、メタクリル酸２−ジメチルアミノエチル、メタクリル酸２−ジエチルアミノエチル、ビニルピリジン、Ｎ−ビニルカルバゾール、ビニルイミダゾール等を使用することができる。
【００４９】
一方、正帯電性トナーを用いる場合、逆極性粒子としては、負帯電性を有する微粒子が用いられ、例えば、シリカ、酸化チタン等の無機微粒子に加え、フッ素樹脂、ポリオレフィン樹脂、シリコーン樹脂、ポリエステル樹脂等の熱可塑性樹脂あるいは熱硬化性樹脂で構成された微粒子を使用することができる。また樹脂中に負帯電性を付与する負荷電制御剤を含有させたり、含フッ素アクリル系モノマーや含フッ素メタクリル系モノマーの共重合体を構成するようにしてもよい。上記の負荷電制御剤としては、例えば、サリチル酸系、ナフトール系のクロム錯体、アルミニウム錯体、鉄錯体、亜鉛錯体等を使用することができる。
【００５０】
また、逆極性粒子の帯電性及び疎水性を制御するために、無機微粒子の表面をシランカップリング剤、チタンカップリング剤、シリコーンオイル等で表面処理するようにしてもよく、特に、無機微粒子に正帯電性を付与する場合には、アミノ基含有カップリング剤で表面処理することが好ましく、また負帯電性を付与する場合には、フッ素基含有カップリング剤で表面処理することが好ましい。
【００５１】
逆極性粒子の個数平均粒径は、１００〜１０００ｎｍであることが好ましい。トナーに対して０．１〜１０質量％の割合で添加させて用いるようにする。
【００５２】
＜キャリヤ＞
キャリヤとしては、特に限定されず、一般に使用されている公知のキャリヤを使用することができ、バインダー型キャリヤやコート型キャリヤなどが使用できる。キャリヤ粒径としてはこれに限定されるものではないが、１５〜１００μｍが好ましい。
【００５３】
バインダー型キャリヤは、磁性体微粒子をバインダー樹脂中に分散させたものであり、キャリヤ表面に正または負帯電性の帯電性微粒子を固着させたり、表面コーティング層を設けることもできる。バインダー型キャリヤの極性等の帯電特性は、バインダー樹脂の材質、帯電性微粒子、表面コーティング層の種類によって制御することができる。
【００５４】
バインダー型キャリヤに用いられるバインダー樹脂としては、ポリスチレン系樹脂に代表されるビニル系樹脂、ポリエステル系樹脂、ナイロン系樹脂、ポリオレフィン系樹脂などの熱可塑性樹脂、フェノール樹脂等の硬化性樹脂が例示される。
【００５５】
バインダー型キャリヤの磁性体微粒子としては、マグネタイト、ガンマ酸化鉄等のスピネルフェライト、鉄以外の金属（Ｍｎ、Ｎｉ、Ｍｇ、Ｃｕ等）を一種または二種以上含有するスピネルフェライト、バリウムフェライト等のマグネトプランバイト型フェライト、表面に酸化層を有する鉄や合金の粒子を用いることができる。その形状は粒状、球状、針状の何れであってもよい。特に高磁化を要する場合には、鉄系の強磁性微粒子を用いることが好ましい。また、化学的な安定性を考慮すると、マグネタイト、ガンマ酸化鉄を含むスピネルフェライトやバリウムフェライト等のマグネトプランバイト型フェライトの強磁性微粒子を用いることが好ましい。強磁性微粒子の種類及び含有量を適宜選択することにより、所望の磁化を有する磁性樹脂キャリヤを得ることができる。磁性体微粒子は磁性樹脂キャリヤ中に５０〜９０質量％の量で添加することが適当である。
【００５６】
バインダー型キャリヤの表面コート材としては、シリコーン樹脂、アクリル樹脂、エポキシ樹脂、フッ素系樹脂等が用いられ、これらの樹脂を表面にコートし硬化させてコート層を形成することにより、帯電付与能力を向上させることができる。
【００５７】
バインダー型キャリヤの表面への帯電性微粒子あるいは導電性微粒子の固着は、例えば、磁性樹脂キャリヤと微粒子とを均一混合し、磁性樹脂キャリヤの表面にこれら微粒子を付着させた後、機械的・熱的な衝撃力を与え、微粒子を磁性樹脂キャリヤ中に打ち込むようにして固定することにより行われる。この場合、微粒子は、磁性樹脂キャリヤ中に完全に埋設されるのではなく、その一部を磁性樹脂キャリヤ表面から突き出すようにして固定される。
【００５８】
帯電性微粒子としては、有機、無機の絶縁性材料が用いられる。具体的には、有機系としては、ポリスチレン、スチレン系共重合物、アクリル樹脂、各種アクリル共重合物、ナイロン、ポリエチレン、ポリプロピレン、フッ素樹脂及びこれらの架橋物などの有機絶縁性微粒子を用いることができ、帯電レベル及び極性については、素材、重合触媒、表面処理等により、希望するレベルの帯電及び極性を得ることができる。また、無機系としては、シリカ、二酸化チタン等の負帯電性の無機微粒子や、チタン酸ストロンチウム、アルミナ等の正帯電性の無機微粒子などが用いられる。
【００５９】
一方、コート型キャリヤは磁性体からなるキャリヤコア粒子に樹脂コートがなされてなるキャリヤであり、コート型キャリヤにおいてもバインダー型キャリヤ同様、キャリヤ表面に正または負帯電性の帯電性微粒子を固着させたりできる。コート型キャリヤの極性等の帯電特性は、表面コーティング層の種類や帯電性微粒子により制御することができ、バインダー型キャリヤと同様の材料を用いることができる。特にコート樹脂はバインダー型キャリヤのバインダー樹脂と同様の樹脂が使用可能である。
【００６０】
トナーとキャリヤの混合比は所望のトナー帯電量が得られるよう調整されれば良く、トナー混合比はトナーとキャリヤとの合計量に対して３〜５０質量％、好ましくは６〜３０質量％が適している。
【００６１】
（現像装置２の構成と動作）
図１を参照して本実施形態に係る現像装置２の詳細な構成例と動作例を説明する。
【００６２】
＜装置構成＞
現像装置２において使用する現像剤２４は、既述したようにトナーとキャリヤからなり、現像剤槽１６に収容される。
【００６３】
現像剤槽１６は、ケーシング１９により形成されており、通常は内部に混合撹拌部材１７、１８を収納している。混合撹拌部材１７、１８は、現像剤２４を混合・撹拌し、トナー供給用現像剤担持体１１へ現像剤２４を供給する。ケーシング１９の混合撹拌部材１８に対向する位置には、好ましくは、トナー濃度検出用のＡＴＤＣ（Ａｕｔｏｍａｔｉｃ  Ｔｏｎｅｒ  Ｄｅｎｓｉｔｙ  Ｃｏｎｔｒｏｌ）センサ２０が配設されている。
【００６４】
現像装置２は通常、現像領域８で消費される分のトナーを現像剤槽１６内に補給するための補給部１０を有している。補給部１０において、補給トナー２３を収納した図示しないホッパから送られた補給トナー２３が現像剤槽１６内へ補給される。
【００６５】
現像装置２はまた、トナー供給用現像剤担持体１１上の現像剤量を規制するための現像剤薄層化用の規制部材（規制ブレード）１５を有している。
【００６６】
トナー供給用現像剤担持体１１は、固定配置された磁石体１３と、これを内包する回転自在なスリーブローラ１２とから構成され、画像形成時には、トナー担持体２５へとトナーを供給するためのトナー供給バイアスＶｂ１が、トナー供給用現像剤担持体用バイアス電源３２により印加される。
【００６７】
磁石体１３は、スリーブローラ１２の回転方向Ｂに沿ってＳ１、Ｎ１、Ｓ２、Ｓ３、Ｎ２の５つの磁極を有する。これらの磁極のうち、主磁極Ｎ１は、トナー担持体２５と対向するトナー供給領域７の位置に配されている。
【００６８】
トナー回収用現像剤担持体２６も同様に、固定配置された磁石体２８と、これを内包する回転自在なスリーブローラ２７とから構成され、トナー担持体２５上の現像残トナーを回収するためのトナー回収バイアスＶｂ３が、トナー回収用現像剤担持体用バイアス電源３３により印加される。
【００６９】
磁石体２８は、スリーブローラ２７の回転方向Ｄに沿ってＮ３、Ｓ４、Ｎ４、Ｓ５、Ｎ５の５つの磁極を有する。これらの磁極のうち、主磁極Ｓ４は、トナー担持体２５と対向するトナー回収領域９の位置に配されている。
【００７０】
また、スリーブローラ２７上の現像剤２４を剥離するための反発磁界を発生させる同極部Ｎ５、Ｎ３が、現像剤槽１６内部に対向した位置に配置されている。
【００７１】
トナー回収用現像剤担持体２６のトナー回収領域９から現像剤分離領域（上記同極部）の間には、トナー回収領域９通過後のトナー回収用現像剤担持体表面に偏在したトナーを引き付けるためのトナー剥離部材（フィルム部材）４１が設けられており、保持電極４２を介してトナー剥離バイアスＶｂ４が電源３４により印加される。また、トナー剥離部材（フィルム部材）４１の現像剤２４との当接面の背面には、トナー剥離部材（フィルム部材）４１の現像剤２４との当接圧を安定させるための磁性部材４３が設けられている。
【００７２】
さらに、現像装置２においては、トナー供給用現像剤担持体１１上の現像剤２４をトナー回収用現像剤担持体２６へと受け渡すために、それぞれのＳ２極とＮ３極がトナー供給用現像剤担持体１１とトナー回収用現像剤担持体２６の対向部に配されている。トナー供給用現像剤担持体１１のＳ２磁極側からトナー回収用現像剤担持体２６のＮ３磁極側へ、現像剤２４は受け渡され、搬送されていく。
【００７３】
トナー担持体２５はトナー供給用現像剤担持体１１、トナー回収用現像剤担持体２６及び像担持体１のそれぞれに対向するように配され、像担持体１上の静電潜像を現像するための現像バイアスＶｂ２がトナー担持体用バイアス電源３１により印加されている。
【００７４】
トナー担持体２５は上記電圧を印加可能な限りいかなる材料からなっていてもよく、例えば、アルマイト等の表面処理を施したアルミローラが挙げられる。その他アルミ等の導電性基体上に、例えば、ポリエステル樹脂、ポリカーボネート樹脂、アクリル樹脂、ポリエチレン樹脂、ポリプロピレン樹脂、ウレタン樹脂、ポリアミド樹脂、ポリイミド樹脂、ポルスルホン樹脂、ポリエーテルケトン樹脂、塩化ビニル樹脂、酢酸ビニル樹脂、シリコーン樹脂、フッ素樹脂等の樹脂コートやシリコーンゴム、ウレタンゴム、ニトリルゴム、天然ゴム、イソプレンゴム等のゴムコーティングを施したものを用いてもよい。コーティング材料としては、これに限定されるものではない。
【００７５】
さらに上記コーティングのバルクもしくは表面に導電剤が添加されていてもよい。導電剤としては、電子導電剤もしくはイオン導電剤が挙げられる。電子導電剤として、ケッチンブラック、アセチレンブラック、ファーネスブラック等のカーボンブラックや、金属粉、金属酸化物の微粒子等が挙げられるが、これに制約されない。イオン導電剤として、四級アンモニウム塩等のカチオン性化合物や、両性化合物、その他イオン性高分子材料が挙げられるが、これにこだわらない。さらに、アルミ等の金属材料からなる導電性ローラであっても構わない。
【００７６】
＜装置の動作＞
図１を参照して現像装置２の動作例について詳しく説明する。
【００７７】
現像剤槽１６内の現像剤２４は、混合撹拌部材１７、１８の回転により混合撹拌され、摩擦帯電すると同時に現像剤槽１６内で循環搬送され、現像剤担持体１１表面のスリーブローラ１２へと供給される。
【００７８】
この現像剤２４は、トナー供給用現像剤担持体１１内部の磁石体１３の磁力によってスリーブローラ１２の表面側に保持され、スリーブローラ１２とともに回転移動して、トナー供給用現像剤担持体１１に対向して設けられた規制部材１５で通過量を規制される。
【００７９】
その後、現像剤２４はトナー担持体２５と対向するトナー供給領域７へと搬送される。
【００８０】
トナー供給領域７では磁石体１３の主磁極Ｎ１の磁力によって現像剤穂立ちが形成され、トナー担持体２５に印加された現像バイアスＶｂ２とトナー供給用現像剤担持体１１に印加されたトナー供給バイアスＶｂ１により形成された供給電界がトナーに与える力により、現像剤２４中のトナーがトナー担持体２５側へ供給される。
【００８１】
トナー担持体２５に供給されたトナー層は、トナー担持体２５の回転に伴って現像領域８へと搬送され、現像バイアスと像担持体１上の潜像電位とによって形成される現像電界により潜像が顕像へと現像される。現像方式は反転現像方式であってもよいし、または正規現像方式であってもよい。
【００８２】
現像領域８でトナーを消費したトナー担持体２５上のトナー層（現像残トナー）は、さらにトナー担持体２５の回転によって、トナー回収用現像剤担持体２６と対向するトナー回収領域９へと搬送される。
【００８３】
一方、トナー供給領域７においてトナー担持体２５へとトナーを供給した残りの現像剤２４は、トナー回収用現像剤担持体２６との対向部まで搬送され、トナー供給用現像剤担持体１１の磁極Ｓ２とトナー回収用現像剤担持体２６の磁極Ｎ３により形成される磁界によって、トナー回収用現像剤担持体２６へと受け渡される。
【００８４】
トナー回収用現像剤担持体２６へと受け渡された現像剤２４は、トナー回収用現像剤担持体２６のスリーブローラ２７とともに回転移動して、トナー担持体２５と対向するトナー回収領域９まで搬送される。
【００８５】
トナー回収領域９では、トナー担持体２５に印加された現像バイアスＶｂ２とトナー回収用現像剤担持体２６に印加されたトナー回収バイアスＶｂ３により形成された回収電界がトナーに与える静電気力、及びトナー回収用現像剤担持体２６に保持された現像剤２４による機械的摺擦力によって、トナー担持体２５からトナー回収用現像剤担持体２６へと現像残トナーが移動し、回収される。
【００８６】
トナー回収用現像剤担持体２６上に回収されたトナーは、トナー回収領域９での回収電界の作用により、トナー回収用現像剤担持体２６に担持された現像剤２４層内において、トナー回収用現像剤担持体表面近傍に偏在した状態（トナー回収用現像剤担持体２６表面にトナー層を形成）となる。
【００８７】
しかし、現像剤２４が現像剤槽１６に向けて搬送される過程のトナー剥離部材（フィルム部材）４１との当接領域において、トナー回収用現像剤担持体２６に印加されたトナー回収バイアスＶｂ３とフィルム部材４１に印加されたトナー剥離バイアスＶｂ４とによって形成された剥離電界がトナーに与える力によって、トナーの偏在状態は解消される。トナーの偏在とトナー剥離部材によるその解消について、及びトナー剥離部材の現像剤層への当接についての詳細は後述する。
【００８８】
その後、トナーは現像剤とともに現像剤槽１６に向けて搬送され、磁石体２８の同極部Ｎ５、Ｎ３の反発磁界によってトナー回収用現像剤担持体２６上から剥離され、現像剤槽１６内へと回収される。
【００８９】
図示しない補給制御部が、ＡＴＤＣセンサ２０の出力値から、現像剤２４中のトナー濃度が画像濃度確保のための最低トナー濃度以下になったことを検出すると、図示しないトナー補給手段によってホッパ内に貯蔵された補給トナー２３がトナー補給部１０を介して現像剤槽１６内へ供給される。
【００９０】
＜現像剤の流れについて＞
なお、上記現像装置２の構成と動作例では、現像剤の流れは次のようであった。
【００９１】
すなわち、トナー供給用現像剤担持体１１とトナー回収用現像剤担持体２６が対向して配置し、現像剤槽１６からトナー供給用現像剤担持体１１上に供給された現像剤２４をトナー供給用現像剤担持体１１上で規制し、トナー供給用現像剤担持体１１からトナー回収用現像剤担持体２６へ受け渡し、トナー回収用現像剤担持体２６から分離して現像剤槽１６へと戻すようにしている。
【００９２】
しかしながら、現像剤２４の流れは上記の流れに限定されるものではない。
【００９３】
例えば、トナー回収用現像剤担持体２６から再度トナー供給用現像剤担持体１１に現像剤２４を受け渡した後に、トナー供給用現像剤担持体１１から現像剤槽１６へと戻すようにしてもよい。この場合、トナー剥離部材（フィルム部材）４１は、トナー回収領域９通過後、現像剤受け渡し前の間に設ければよい。
【００９４】
また、現像剤槽１６からトナー供給用現像剤担持体１１及びトナー回収用現像剤担持体２６のそれぞれに現像剤２４を供給し、それぞれで搬送量を規制した後にトナー供給領域７及びトナー回収領域９に搬送し、それぞれの現像剤担持体上から現像剤２４を分離して現像剤槽１６へと戻す（トナー供給用現像剤担持体１１とトナー回収用現像剤担持体２６との現像剤の流れを別にする）ようにしてもよい。この場合、トナー剥離部材（フィルム部材）４１はトナー回収領域９通過後、現像剤分離領域までの間に設ければよい。
【００９５】
つまり、トナー供給領域７に搬送される現像剤２４が現像剤槽１６でトナー濃度が調整された現像剤であればよく、トナー剥離部材（フィルム部材）４１はトナー回収領域９通過後の現像剤がトナー回収用現像剤担持体上から除去されるまでの間に設ければよい。
【００９６】
（トナー回収領域での問題とトナー剥離部材について）
トナー回収領域でのトナー回収能力の問題（トナー回収用現像剤担持体表面のトナー蓄積）とそれを防止するためのトナー剥離部材の詳細について説明する。
【００９７】
まず、現像履歴（ゴースト）について述べ、次に現像剤担持体によるトナー供給、回収能力とバイアス設定について説明し、最後にトナー回収用現像剤担持体上のトナー蓄積とそれによる回収能力の低下を防止するためのトナー剥離部材の設定について説明する。
【００９８】
＜ゴーストについて＞
図２を用いて現像履歴（ゴースト、画像メモリーともいう）について説明する。
【００９９】
図２（ａ）はゴーストを検知するために使用する画像チャートの一例である。背景領域である白部５１に黒ベタ領域５２及びハーフ画像領域５３が図に示すように配置されている。図２（ｂ）は、図２（ａ）の画像チャートを図示するような印刷方向で印刷し、ゴーストが発生した様子を示す印刷画像例である。
【０１００】
現像履歴（画像メモリー、ゴースト）とは、次のような現象である。
【０１０１】
図２（ａ）の画像チャートに示すような、白地部５１に黒ベタ部５２のようにコントラストの高い画像を印刷した後に、グレーなどのハーフトーン画像領域５３の印刷が続くような中間調画像を出力する。そうすると、出力した印刷画像には、図２（ｂ）に示すようにハーフトーン画像領域５３内に、原稿とした画像チャートには存在しなかった、上流側で印刷したハイコントラスト画像のパターンが現れる。図２（ｂ）では、黒ベタ部のトナー担持体一周期分後で印刷されるハーフトーン画像領域５３内にゴーストであるパターン５４が見られる。
【０１０２】
このような現象は、次のようなことに起因するものである。
【０１０３】
ハイコントラスト画像を印刷した直後のトナー担持体上には、印刷画像パターンに対応した現像残トナー層が残留するため、それが十分除去されていないと、それに続くトナー担持体へのトナー供給後にも、トナー担持体上には、印刷した画像パターンに応じたトナー層の厚みムラなどが残る。
【０１０４】
そのトナー層の厚みムラによる現像特性変化が、次の印刷画像上に、先行して印刷したパターンに対応した濃度ムラ（ゴースト）を生じさせる。この現像特性変動による濃度ムラは特に中間調画像において視認性が高い。
【０１０５】
従って、トナー担持体表面の現像残トナーを十分に回収することが、ゴーストの発生を抑止するために必要となる。
【０１０６】
＜各現像剤担持体によるトナー供給、回収能力とバイアス設定について＞
本実施形態は、ハイブリッド現像方式である。特に、トナー担持体にトナーを供給するトナー供給用現像剤担持体に加えて、トナー回収用現像剤担持体を設け、トナー回収用現像剤担持体にトナー担持体上の現像残トナーを回収する電圧を印加するようにしたトナー供給回収機能分離型のハイブリッド現像方式である。
【０１０７】
トナー剥離部材を設けない場合を例にして、トナー供給用現像剤担持体、及びトナー回収用現像剤担持体によるトナー供給、回収能力とバイアス設定について、図３を用いて説明する。
【０１０８】
図３は、トナー剥離部材を設けない場合の、トナー供給用現像剤担持体１１、トナー担持体２５、トナー回収用現像剤担持体２６に印加される各バイアス電圧、及びトナー蓄積に伴うトナー層電位について、負帯電トナーを用いたとして示したものである。
【０１０９】
トナー供給用現像剤担持体１１、トナー担持体２５、及びトナー回収用現像剤担持体２６のそれぞれに印加される各バイアス電圧は、直流電圧であっても、直流電圧に交流電圧が重畳された電圧であってもよいが、ここでは単純のためにそれぞれの印加電圧の平均値を用いて説明する。ここで、印加電圧の平均値とはＤＣバイアスであれば電圧値、ＡＣ重畳バイアスであればＤＣ成分の値である。例えばＤｕｔｙ比を設けた矩形波など非対称波形の場合は時間平均のことである（以下、同様）。
【０１１０】
図３（ａ）は、トナー供給用現像剤担持体１１、トナー担持体２５、トナー回収用現像剤担持体２６のそれぞれに印加されるバイアス電圧Ｖｂ１、Ｖｂ２、Ｖｂ３の関係の一例を示している。
【０１１１】
この例では、トナー供給用現像剤担持体１１上の現像剤からトナー担持体２５へトナーを供給させるために、トナー供給用現像剤担持体１１とトナー担持体２５間に電位差Ｖｂ２−Ｖｂ１（トナー供給電位差）が設定されている。
【０１１２】
また、トナー担持体２５上の現像に使用されなかったトナー（現像残トナー）をトナー回収用現像剤担持体２６に回収するために、トナー担持体２５とトナー回収用現像剤担持体２６との間に電位差Ｖｂ３−Ｖｂ２（トナー回収電位差）が設定されている。
【０１１３】
まず、トナー供給用現像剤担持体１１からトナー担持体２３へのトナー供給のみを考える。
【０１１４】
トナー供給用現像剤担持体１１からトナー担持体２５へのトナー供給量は、トナー供給電位差Ｖｂ２−Ｖｂ１の大きさに依存し、繰り返しトナー供給が行われることによってトナー供給量は次第に増大し、その最大供給量は、トナー担持体２５上に供給されたトナー層によるトナー層電位Ｖｔｄがトナー供給電位差Ｖｂ２−Ｖｂ１とほぼ等しくなる量である（図３（ｂ）参照）。
【０１１５】
このようにトナー担持体２５上のトナー量はトナー供給履歴（トナー供給前のトナー担持体２５上のトナー量、すなわち現像履歴）によって変化するため、トナー回収用現像剤担持体２６を設けない構成においては、トナー担持体２５上のトナー量を一定に保つことが難しく、現像履歴に応じてトナー担持体２５上のトナー量にムラが生じ、これが画像メモリー（ゴースト）の要因となる。
【０１１６】
そこで、トナー回収用現像剤担持体２６を設け、現像残トナーの少なくとも一部を回収することで、現像履歴に関わらずトナー供給前のトナー担持体２５上のトナー量を揃えることを可能としている。
【０１１７】
このため、トナー担持体２５上の現像残トナーのトナー回収用現像剤担持体２６への回収は、トナー担持体２５とトナー回収用現像剤担持体２６間の電位差Ｖｂ３−Ｖｂ２（トナー回収電位差）に加えて、トナー担持体２５上のトナー層電位Ｖｔｄの影響も受ける。
【０１１８】
すなわちトナー担持体２５への印加電圧Ｖｂ２にトナー層電位Ｖｔｄを加えたＶｂ２＋Ｖｔｄとトナー回収用現像剤担持体２６への印加電圧Ｖｂ３との電位差Ｖｂ３−（Ｖｂ２＋Ｖｔｄ）が実効的なトナー回収電位差となる。
【０１１９】
従って、トナー回収用現像剤担持体２６への印加電圧Ｖｂ３は、Ｖｂ２＋Ｖｔｄ−Ｖｂ３がトナー回収方向となる電圧であれば静電気力によるトナー回収効果が得られる。
【０１２０】
例えば、図３（ｃ）に示すように、トナー回収用現像剤担持体２６への印加電圧Ｖｂ３がトナー担持体１１への印加電圧Ｖｂ２に対してトナーを供給する方向であっても、実効的なトナー回収電位差によって、トナー層の一部に対しては回収方向へ作用し、トナー供給前のトナー担持体２５上の現像履歴（トナー量ムラ）を均す効果が得られる。
【０１２１】
このように、トナー回収領域９でのトナー担持体２５からトナー回収用現像剤担持体２６への現像残トナーの回収は、実効的なトナー電位差に依存する。しかしながら、トナー回収領域９で、この回収方向の電界が強すぎると次のような問題が生じてくる。
【０１２２】
すなわち、トナー回収領域９でトナー担持体２５から回収されたトナーや現像剤（穂立ち）中のキャリヤから分離されたトナーが、トナー回収用現像剤担持体２６表面へ移動し、表面でのトナーの偏在が生じてくることが起こる。
【０１２３】
＜トナー回収用現像剤担持体上のトナー蓄積とトナー回収能力の低下＞
図４は、トナー回収領域９における、トナー回収用現像剤担持体２６の磁極による現像剤の穂立ちの状態と電界方向へのトナーの移動の様子を示す断面図である。図４を用いて、トナー回収用現像剤担持体２６表面でのトナーの偏在と蓄積、それによる回収能力の低下について説明する。
【０１２４】
図４（ａ）では、回収電界の方向（図中央の太い矢印参照）に対して、ほぼ平行に現像剤２４の穂立ち（磁気ブラシ）が生じている。トナー回収用現像剤担持体２６へ回収されたトナー及びトナー回収用現像剤担持体２６上の現像剤２４に含まれているトナーのうちの一部は、トナー回収電界の作用を受けることによって、磁極により穂立ちを形成された磁気ブラシチェーンを伝わり、容易にトナー回収用現像剤担持体２６表面まで移動する。
【０１２５】
その結果、トナー回収領域９の上流側において、図４（ｂ）に示すようにトナー４５がキャリヤ４６粒子表面に付着して分散した状態であったものが、トナー回収領域９通過後の下流側では、図４（ｃ）に示すように一部のトナー４５がキャリヤ４６と分離した状態となり、トナー回収用現像剤担持体２６表面に偏在したトナー層を形成するようになる。
【０１２６】
このように、トナー回収用現像剤担持体２６表面へ移動し、偏在したトナーは、キャリヤと分離された状態となる。そのため、現像剤２４がトナー回収用現像剤担持体２６の回転に伴い搬送され、磁石ロール２８の同極部Ｎ５、Ｎ３の反発磁界によって現像剤槽１６へと戻される際に、キャリヤと共に現像剤槽１６には戻らず、トナー回収用現像剤担持体２６表面に残留した状態となる。
【０１２７】
このトナー回収用現像剤担持体２６の表面残留トナーの量は、回収動作を繰り返し行うことで次第に増加、蓄積する。図３（ａ）の電位設定の場合、最終的には、図５に示すように、トナー回収用現像剤担持体２６上のトナー層電位Ｖｔｒは、トナー担持体２５の印加電圧Ｖｂ２にトナー担持体２５上トナー層電位Ｖｔｄを加えた値とほぼ等しくなるまで増大する。
【０１２８】
トナー回収用現像剤担持体２６上の帯電トナーの蓄積により、トナー層電位Ｖｔｒが増大するということは、トナー回収用現像剤担持体２６によるトナー回収のための実効的な回収電位差Ｖｂ３＋Ｖｔｒ−（Ｖｂ２＋Ｖｔｄ）が減少していくということを表す。
【０１２９】
特にトナー回収用現像剤担持体２６上のトナー層電位Ｖｔｒが、図５に示すような状態までに増加すると回収のための実効電位差はゼロとなってしまう。
【０１３０】
従って、トナー回収用現像剤担持体２６表面での帯電したトナーの蓄積は、トナー回収領域９での回収電界を阻害し、トナー回収能力を低下させてしまう。このため、トナーの蓄積が生ずるまでは良好であった現像残トナーの回収能力が、長期間は持続せず、画像形成の繰り返しとともにゴースト発生が問題となってくる。
【０１３１】
本実施形態では、トナー回収領域において、トナー回収用現像剤担持体２６表面に偏在したトナーを、トナー剥離部材を設けることで解消し、上述のトナー蓄積によるトナー回収能力の低下を抑制している。以下にその効果について説明する。
【０１３２】
＜トナー剥離部材の機能動作＞
図６及び図７は、本発明のトナー剥離部材（フィルム部材）４１を設けた場合の、トナー供給用現像剤担持体１１、トナー担持体２５、トナー回収用現像剤担持体２６及びトナー剥離部材（フィルム部材）４１への印加電圧、そしてそれぞれの電位差によって移動するトナーに伴うトナー層電位について、図３と同様に負帯電トナーを用いたとして示したものである。
【０１３３】
図６及び図７においても図３と同様に、トナー供給用現像剤担持体１１、トナー担持体２５、トナー回収用現像剤担持体２６及びトナー剥離部材（フィルム部材）４１のそれぞれに印加される電圧は、直流電圧であっても、直流電圧に交流電圧が重畳された電圧であってもよいが、ここでは単純のためにそれぞれの印加電圧の平均値を用いて説明する。
【０１３４】
図６（ａ）はトナー供給用現像剤担持体１１、トナー担持体２５、トナー回収用現像剤担持体２６及びトナー剥離部材（フィルム部材）４１のそれぞれに印加される電圧Ｖｂ１、Ｖｂ２、Ｖｂ３及びＶｂ４の関係の一例を示している。
【０１３５】
この例でも同様にトナー供給用現像剤担持体１１上の現像剤からトナーをトナー担持体２５へと供給させるためのトナー供給電位差Ｖｂ２−Ｖｂ１が設定されている。また、トナー担持体２５上の現像に使用されなかったトナー（現像残トナー）をトナー回収用現像剤担持体２６に回収するためのトナー回収電位差Ｖｂ３−Ｖｂ２が設定されている。
【０１３６】
加えて、トナー回収用現像剤担持体表面に偏在するトナー層をトナー剥離部材（フィルム部材）４１側に引き付けるためにトナー回収用現像剤担持体２６とトナー剥離部材（フィルム部材）４１との間にトナー剥離電位差Ｖｂ４−Ｖｂ３が設定されている。
【０１３７】
トナー供給用現像剤担持体１１からトナー担持体２５へのトナー供給、トナー担持体２５上の現像残トナーのトナー回収用現像剤担持体２６へのトナー回収は図３の場合と同様であるため説明は省略する。
【０１３８】
図６（ｂ）に示すようにトナー回収用現像剤担持体表面にある量のトナー層（トナー層電位Ｖｔｒ）が形成された状態を考える。
【０１３９】
トナー回収用現像剤担持体２６表面に偏在したトナー層（トナー層電位Ｖｔｒ）は、実効的なトナー剥離電位差Ｖｂ４−（Ｖｂ３＋Ｖｔｒ）の作用により、トナー剥離部材（フィルム部材）４１の方向へと引き付けられて解消される。そのためＶｔｒが減少し、トナー担持体２５とトナー回収用現像剤担持体２６間のトナー回収電位差Ｖｂ３−（Ｖｂ２＋Ｖｔｄ）が、トナー回収用現像剤担持体２６表面にトナー層が形成されることによるトナー層電位Ｖｔｒによって打ち消されることがなくなる。
【０１４０】
ここで、図７（ａ）に示すように、トナー回収用現像剤担持体２６表面のトナー層（トナー層電位Ｖｔｒ）がトナー剥離電位差Ｖｂ４−（Ｖｂ３＋Ｖｔｒ）によってトナー剥離部材（フィルム部材）４１側に引き付けられた結果、トナー剥離部材（フィルム部材）４１上にトナー層（トナー層電位Ｖｔｆ）が形成されることが懸念される。
【０１４１】
すなわち、繰り返し動作によってトナー剥離部材（フィルム部材）４１上のトナー層（トナー層電位Ｖｔｆ）が増大すると、トナー剥離電位差Ｖｂ４−（Ｖｂ３＋Ｖｔｒ）がトナー層電位Ｖｔｆによって打ち消され、実効的なトナー剥離電位差が小さくなってしまうと考えられる。
【０１４２】
しかしながら、以下の理由によりトナー剥離部材（フィルム部材）４１上にはトナー層（トナー層電位Ｖｔｆ）がほとんど形成されない。
【０１４３】
図８（ａ）に示すように、トナー回収用現像剤担持体２６上の現像剤２４の移動速度は、現像剤２４がトナー回収用現像剤担持体２６表面に磁力により吸着されて移動するため、トナー回収用現像剤担持体２６表面（スリーブローラ２７）の移動速度とほぼ等しい（トナー回収用現像剤担持体２６と現像剤２４との界面に速度差が生じない）。
【０１４４】
従って、トナー回収用現像剤担持体２６表面に形成されたトナー４５層に対して摺擦力が作用せず、現像剤２４を用いてトナー４５層を除去することができない。
【０１４５】
それに対して、図８（ｂ）に示すように、トナー剥離部材（フィルム部材）４１を設けた場合では、トナー剥離電界によってトナー剥離部材（フィルム部材）４１側にトナー４５が引き付けられるものの、トナー剥離部材（フィルム部材）４１とトナー回収用現像剤担持体２６上の現像剤２４との当接ニップ部に着目すると、トナー剥離部材（フィルム部材）４１が固定されているのに対して、現像剤２４はトナー回収用現像剤担持体２６の回転に伴い移動している状態である。
【０１４６】
これにより、トナー剥離部材（フィルム部材）４１と現像剤２４との界面で速度差が生じ、トナー剥離電界によってフィルム部材４１上にトナー４５層が形成されるようなことがあっても、トナー４５層に現像剤２４による摺擦力が作用するために掻き取られ、フィルム部材４１上にトナー層が蓄積していくことがない。
【０１４７】
この作用により、図７（ｂ）に示すように、フィルム部材４１上のトナー層電位Ｖｔｆは繰り返し動作によって増大することがなく、ほぼゼロか、極めて小さいレベルに制限され、トナー剥離電位差を安定して維持することが可能である。
【０１４８】
以上のことから、少なくともトナー剥離電位差Ｖｂ４−（Ｖｂ３＋Ｖｔｒ）が正帯電トナーの場合には負の値、負帯電トナーの場合には正の値になるよう設定すればよい。さらにフィルム部材４１とトナー回収用現像剤担持体２６との間の電界は振動電界であることが好ましい。
【０１４９】
フィルム部材４１とトナー回収用現像剤担持体２６との間の電界を振動電界とすることで、トナー回収用現像剤担持体２６表面に付着したトナーを確実にフィルム部材４１側へ引き付けることが可能となる。
【０１５０】
（各ニップ部でのトナー層の状態推移）
図１０から図１３には、トナー剥離部材（フィルム部材）４１を設けた場合の各ニップ通過前後での各部材上のトナー層の状態を整理して示す。ここで、各部材の電圧設定は一例であり、必ずしもこれに制限されるものではない。図９は、参照のために図１の主要部を抜き出したものである。
【０１５１】
［１］トナー供給領域７の前後では、図１０に示すように、ニップ通過前にはトナー担持体２５上にはトナーが存在せず、ニップを通過することでトナー供給用現像剤担持体１１とトナー担持体２５との間に形成されたトナー供給電位差を埋めるように、トナー供給用現像剤担持体１１上の現像剤からトナーのみがトナー担持体２５に供給される。
【０１５２】
［２］現像領域８の前後では、画像部と非画像（背景）部で挙動が異なる。
【０１５３】
画像部では図１１（ａ）に示すように、ニップ通過前にはトナー担持体２５上に存在していたトナーが、ニップを通過することで、トナー担持体２５と像担持体１の画像部電位Ｖｉとの間に形成された現像電位差を埋めるように、トナー担持体２５から像担持体１の画像部に現像され、トナー担持体２５上のトナー量が少なくなる（図では完全に現像されている）。
【０１５４】
一方、非画像部では図１１（ｂ）に示すように、ニップ通過前にはトナー担持体２５上に存在するトナーは、ニップを通過してもトナー担持体２５と像担持体１の非画像部電位Ｖ０との間に形成された背景部電位差のために、トナー担持体２５から像担持体１の非画像部に移動することができず、トナー担持体２５上に留まる。
【０１５５】
この結果、トナー担持体２５上に現像残トナー量の違いとして現像履歴が生じる。
【０１５６】
［３］トナー回収領域９の前後では、現像履歴の有無で挙動が異なる。
【０１５７】
現像履歴を受けた場合には、図１２（ａ）に示すように、ニップ通過前にはトナー担持体２５上にはトナーが存在せず（もしくは非画像領域と比較して少なく）、ニップを通過してもトナー担持体２５とトナー回収用現像剤担持体２６との間に形成されたトナー回収電位差のために、トナー担持体２５上にトナーが付着することはない（現像後にトナー担持体２５上にトナーが残っていた場合には、トナー担持体２５上のトナーはトナー回収用現像剤担持体２６に回収される）。
【０１５８】
しかし、トナー回収用現像剤担持体２６上には現像剤２４が存在するため、トナー回収電位差によって、現像剤中のトナーの一部がトナー回収用現像剤担持体２６表面に付着する。
【０１５９】
一方、現像履歴を受けていない場合、図１２（ｂ）に示すように、ニップ通過前にはトナー担持体２５上に存在していた現像残トナーは、ニップを通過するとトナー担持体２５とトナー回収用現像剤担持体２６との間に形成されたトナー回収電位差を埋めるように、トナー担持体２５からトナー回収用現像剤担持体２６へ回収される。
【０１６０】
この結果、トナー担持体２５上に現像残トナーの有無による現像履歴はリセットされ、トナー担持体２５は［１］のニップ通過前の状態に戻る。一方、トナー担持体２５上の現像履歴の影響はトナー回収用現像剤担持体２６へ転写され、トナー回収用現像剤担持体２６表面に付着したトナー量の差として残る。
【０１６１】
［４］トナー剥離領域２９の前後では、トナー剥離部材（フィルム部材）４１上にトナーが留まらないため、トナー回収用現像剤担持体２６表面に付着したトナー量の影響は受けない。図１３に示すように、ニップ通過前にはトナー回収用現像剤担持体２６表面に付着していたトナーが、ニップを通過することにより、トナー回収用現像剤担持体２６とトナー剥離部材（フィルム部材）４１との間に形成されたトナー剥離電位差を埋めるように、トナー回収用現像剤担持体２６からトナー剥離部材（フィルム部材）４１側へ剥離される。
【０１６２】
それと同時に、トナー剥離部材（フィルム部材）４１に付着したトナーは、トナー回収用現像剤担持体２６上の現像剤２４によって摺擦されるため、トナー剥離部材（フィルム部材）４１上に留まることはない。現像剤分離領域においてトナー回収用現像剤担持体２６に内包される磁石体の磁極Ｎ５、Ｎ３の同極部が形成する反発磁界によって現像剤槽１６へと戻される。
【０１６３】
これによって、トナー回収用現像剤担持体２６表面に付着していたトナーはリセットされ、トナー回収用現像剤担持体２６は［３］のニップ通過前の状態に戻る。
【０１６４】
（トナー剥離部材の材質、構成）
上述のように、本実施形態に係るトナー剥離部材（フィルム部材）４１には、
（ａ）トナー回収用現像剤担持体２６表面のトナー層をトナー剥離部材（フィルム部材）４１側に引き付けるためのトナー剥離電位差を形成すること、及び、
（ｂ）トナー剥離電位差によってトナー剥離部材（フィルム部材）４１上に付着したトナーが現像剤２４の磁気ブラシにより掻き取られ、トナー剥離部材（フィルム部材）４１表面の汚染が抑制されること、
が求められる。
【０１６５】
トナー剥離部材としてはフィルム状の部材を用いることが好ましい。フィルム部材を用いることで、
・現像剤との広い当接ニップ幅を容易に確保できる、
・現像剤への適度な安定した当接圧が確保できる、
といった利点が得られる。
【０１６６】
現像剤との当接ニップ幅を広くすることで、トナー回収用現像剤担持体表面に付着したトナーがトナー回収用現像剤担持体とフィルム部材間に形成されるトナー剥離電界によって現像剤層中をフィルム部材側へ移動する時間が確保され、より小さい電界での使用や速いシステム速度での使用が可能となる。
【０１６７】
現像剤への適度な当接圧とすることで、フィルム部材と現像剤とが安定して接触することが可能となり、フィルム部材に引き付けたトナーを現像剤によって確実に掻き取ることが可能になる。同時に、環境や耐久によって現像剤搬送量が増加した場合においても、フィルム部材当接部を現像剤が通過することができずにニップ入り口で滞留するような不具合が生じることを抑制できる。
【０１６８】
フィルム部材の材料としては、特に制限はなくリン青銅、ニッケルやＳＵＳなどの金属薄膜、ポリエステル樹脂、ポリカーボネート樹脂、アクリル樹脂、ポリエチレン樹脂、ポリプロピレン樹脂、ウレタン樹脂、ポリアミド樹脂、ポリイミド樹脂、ポリスルホン樹脂、ポリエーテルケトン樹脂、塩化ビニル樹脂、酢酸ビニル樹脂、シリコーン樹脂、フッ素樹脂等の樹脂からなるフィルムや、シリコーンゴム、ウレタンゴム、ニトリルゴム、天然ゴム、イソプレンゴム等からなるゴムフィルムが挙げられるが、これらに制約されない。
【０１６９】
また、フィルム部材は単層構造であってもよいし、必要に応じて２層以上の構造であってもよい。フィルム部材に付着したトナーを現像剤の摺擦力により掻き取るという観点からは表面エネルギーが低い材料（例えばフッ素樹脂やシリコーン樹脂などを用いる）を用いることが好ましく、さらに、トナーを除電する帯電性を備える材料（例えば負帯電性トナーに対してフッ素樹脂など）を用いることが好ましい。
【０１７０】
フィルム部材の低表面エネルギーや帯電性はフィルム材料によって得ても良いし、フィルムに、例えばシリコーン化合物、フッ素化合物等の低表面エネルギー材料をバルク中に添加、もしくはコーティングを施すことで制御しても良い。
【０１７１】
また、フィルム表面粗さによってもトナーの付着力を低減することが可能であり、フィルム部材の現像剤当接面の算術平均表面粗さＲａは０．０１μｍ〜２μｍが好ましい。表面粗さが小さすぎるとフィルム部材とトナーとの付着力が大きくなり掻き取りが容易でなくなり、大きすぎるとフィルム部材表面の凹凸が現像剤による摺擦に対して抗うように作用してしまい掻き取り不良の要因となる。
【０１７２】
所望のフィルム部材表面粗さを得るには、フィルム部材のバルクまたは表面に粗さ調整剤を必要に応じて添加すればよい。粗さ調整剤としては、例えば、シリカ、酸化チタン、アルミナ、炭酸カルシウム等の無機微粒子やＰＭＭＡ等の樹脂微粒子が挙げられるが、これに限定されない。また、後述するカーボンブラック等の導電剤を粗さ調整剤として用いても構わない。
【０１７３】
フィルム部材の電気抵抗もフィルム部材とトナー回収用現像剤担持体間に電界を形成することが可能であれば特に制約されることなく、金属のような導電性でも使用可能であるし、樹脂フィルムのような絶縁性のものであっても背面に金属蒸着などを施し電極を形成することで使用可能となる。
【０１７４】
但し、導電性が高い場合、フィルム部材とトナー回収用現像剤担持体間でリークが生じない範囲でトナー剥離電位差を設定する必要がある。また、絶縁性フィルムを用いる場合、絶縁性フィルムと現像剤との間の摩擦によって絶縁性フィルムが帯電され、トナー剥離電位差を打ち消す恐れがあるために、材料選択の範囲が狭められる。
【０１７５】
このような観点から、フィルム部材抵抗としては１０４〜１０１０Ω／□程度が好ましい。このような適度なフィルム部材抵抗を得るために、樹脂フィルムやゴムフィルムのバルクまたは表面に導電剤を必要に応じて添加してもよい。係る導電剤としては電子導電剤又はイオン導電剤が挙げられる。
【０１７６】
電子導電剤としては、ケッチンブラック、アセチレンブラック、ファーネスブラック等のカーボンブラックや、金属粉、金属酸化物の微粒子等が挙げられるが、これらに制約されない。イオン導電剤の例としては、４級アンモニウム塩等のカチオン性化合物や、両性化合物、イオン性高分子材料が挙げられるが、これに限定されない。
【０１７７】
フィルム部材の厚さとしては、５μｍ以上１ｍｍ以下、好ましくは１０μｍ以上２００μｍ以下を例示できる。薄すぎると強度不足となり、厚すぎると、フィルム部材の弾性率やフィルムの支点から当接部までの長さにもよるが、フィルム部材の現像剤層への当接圧が大きくなりすぎ、当接部に現像剤がせき止められて現像剤こぼれが生じる恐れがある。さらに、現像剤との接触ニップ幅が十分確保しにくいという問題が生じる。
【０１７８】
フィルム部材は、バイアスを印加する保持電極に固定されることで保持され、保持方法は片端を自由端とする片持ち支持でも良いし、両端を固定する両端支持であってもよい。さらに、フィルム部材を円筒形状のスリーブ構成として保持電極に保持しても良い。
【０１７９】
保持電極に固定されたフィルム部材の現像剤層への当接は、以下の理由からフィルム部材の弾性復元力よりもトナー回収用現像剤担持体の磁極への磁気吸引力を用いて行うものとする。
【０１８０】
すなわち、フィルム部材の当接を弾性復元力によって行うと、高温高湿環境での長期使用や長期保管によってフィルム部材にクリープ変形が生じた場合、フィルム部材の当接圧が低下する。フィルム部材の当接圧が一定以上低下すると、トナー回収用現像剤担持体上の現像剤による摺擦力の低下を招き、フィルム部材表面に付着したトナーを除去することが困難になり、フィルム部材の効果が損なわれる恐れがある。
【０１８１】
フィルム部材の当接をトナー回収用現像剤担持体への磁気吸引力で行うことで、上記フィルム部材クリープ変形による当接圧の低下が生ずる恐れはなくなり、安定した当接圧を長期に渡って維持することができる。
【０１８２】
フィルム部材をトナー回収用現像剤担持体への磁気吸引力によって当接させるには、現像剤に当接させるフィルム部材の背面側に磁性部材４３を設けることによって容易に達成できる。
【０１８３】
図１４のフィルム部材当接部の拡大図に示すように、フィルム部材４１の背面側に磁性部材４３を設けることで、フィルム部材４１を介して、トナー回収用現像剤担持体２６の磁極の形成する磁界による磁気吸引力によって磁性部材４３がトナー回収用現像剤担持体２６側に引き付けられる。これにより、フィルム部材４１の、トナー回収用現像剤担持体２６上の現像剤層２４への当接圧を確保することが可能となる。
【０１８４】
ここで、磁性部材４３に作用する磁気吸引力によってフィルム部材４１を現像剤層２４に当接することで、フィルム部材の特徴である柔軟性が損なわれないようにしなければならない。フィルム部材の柔軟性が損なわれると、フィルム部材の現像剤への当接圧の均一性が損なわれるばかりでなく、フィルム部材による現像剤との当接ニップ幅が狭くなる恐れがある。
【０１８５】
図１４の例では、フィルム部材４１に磁性部材４３を接着せず、磁性部材４３をハウジング側板に設けたガイドによってトナー回収用現像剤担持体表面法線方向に移動可能な構成にし、フィルム部材と磁性部材が独立な可動状態で設置することが望ましい。
【０１８６】
また、図１５の（ａ）当接部の断面図、及び（ｂ）フィルム部材上面図に例を示すように、磁性部材を連続体ではなく、トナー回収用現像剤担持体周方向、長手方向に対して不連続体で構成することにより、フィルム部材に磁性部材を固定化してもフィルムの柔軟性が損なわれることなく、磁気吸引力による当接圧の確保が可能となる。
【０１８７】
同様に、磁性部材として磁性粒子を分散させたフィルム状の部材を用いれば、磁性部材自体が可撓性を有するため、磁気吸引力によるフィルム部材の現像剤への当接圧と当接ニップ幅の確保が両立可能となる。同様の効果は、ワイヤー状の柔軟性のある磁性体をフィルム背面に張架することによっても得ることが可能である。
【０１８８】
さらにフィルム部材４１中に磁性体粒子を分散させる構成とすることで、フィルム部材４１自体に磁気吸引力が作用するようにしてもよい。
【０１８９】
また、フィルム部材の現像剤層への当接位置はトナー回収用現像剤担持体内部の磁石体の磁極位置近傍が好ましい。当接位置を磁極位置近傍とすることで現像剤の磁気ブラシが穂立ちした状態となり、トナー剥離電界によってトナー回収用現像剤担持体表面に付着したトナー層のフィルム部材側へ移動が容易になるだけでなく、フィルム部材に付着したトナーを現像剤が掻き取る際の摺擦力を大きくすることが可能となる。
【０１９０】
さらに、磁性部材の磁気吸引力によりフィルム部材を当接する構成であるため、フィルム部材の当接圧の安定性向上の効果も得られる。またトナー回収用現像剤担持体と磁性体感に現像剤のブリッジが形成され、フィルム部材に付着したトナーを効率的に掻き取ることが可能となる。
【０１９１】
このように、本実施形態に係る現像装置、及び画像形成装置では、トナー回収領域を通過後に、トナー回収した現像剤層を介して、トナー回収用現像剤担持体に当接するトナー剥離部材を設け、バイアス電圧を印加してトナーをトナー回収用現像剤担持体から引き離す方向の電界を形成する。これにより、トナー回収用現像剤担持体表面へのトナー偏在を解消し、トナー蓄積による回収能力の低下を抑制し、ゴーストの問題が発生しない高画質の画像を長期に渡って得ることができる。
【０１９２】
さらにトナー剥離部材（フィルム部材）の現像剤への当接をトナー回収用現像剤担持体の有する磁極の磁気吸引力によって行うことで、フィルム部材のクリープ変形による当接圧の低下を抑制することができ、上記の効果を安定して維持することが可能となる。
【実施例】
【０１９３】
上述した実施形態に係る現像装置を用いて、効果を確認するために実施した結果を述べる。
【０１９４】
用いた現像装置は、上記現像装置２に相当する構成の現像装置を用意した。但し、本発明に係るトナー剥離部材としてのフィルム部材及びフィルム部材の当接圧を安定化するための磁性部材を設けたもの（実施例に使用）と、磁性部材を設けていないもの（比較例に使用）とを用意した。
【０１９５】
画像形成装置は、コニカミノルタビジネステクノロジーズ（株）製のＭＦＰであるｂｉｚｈｕｂＣ３５０を改造し、図１に示した構成の現像装置２を装着して用いた。現像剤も上記ｂｉｚｈｕｂＣ３５０用の現像剤を用いた。トナーの極性はマイナス帯電であり、現像剤のトナー濃度は８％であった。
【０１９６】
各現像装置において、像担持体とトナー担持体との現像ギャップは０．１５ｍｍとした。トナー担持体とトナー供給用現像剤担持体とのトナー供給ギャップ、トナー担持体とトナー回収用現像剤担持体とのトナー回収ギャップ、トナー供給用現像剤担持体と規制部材とのギャップはそれぞれ０．３５ｍｍとした。
【０１９７】
トナー担持体に印加する電圧は、振幅がｐｅａｋ  ｔｏ  ｐｅａｋで１．４ｋＶ、ＤＣ成分が−３５０Ｖ、周波数が４ｋＨｚ、Ｄｕｔｙ比が５０％の矩形波電圧とした。
【０１９８】
トナー供給用現像剤担持体に印加する電圧はＤＣ−５５０Ｖ、トナー回収用現像剤担持体に印加する電圧はＤＣ−２００Ｖとした。
【０１９９】
像担持体上に形成された静電潜像の背景部電位は−５５０Ｖ、画像部電位は−６０Ｖであった。
【０２００】
後述する実施例及び比較例においては、上記の画像形成装置を用いて、図２（ａ）に示した画像チャートを１０００枚連続印刷し、印刷枚数による現像履歴（ゴースト）の発生状態を、初期及び高温高湿環境（５０℃８０％ＲＨ）に一週間放置後で比較した。
【０２０１】
図２（ｂ）の出力画像に５４で示したのはゴーストが発生した例で、黒ベタ部５２の１周期後の位置にハーフ画像部５３より薄い領域５４が発生している。この黒ベタ部５２に対応する領域５４と白ベタ部５１に対応するハーフ画像部５３の濃度測定によりゴースト発生を評価した。
【０２０２】
現像履歴（ゴースト）の評価は、濃度計（Ｘ−Ｒｉｔｅ社製Ｘ−Ｒｉｔｅ３１０）により行った。印刷されたハーフ画像部の黒ベタ部、白部に対応する領域の濃度を測定し、濃度差が０．０５以下の場合を○（特に良好）、濃度差が０．０５を超えて０．１以下の場合を△（良好）、それ以外を×（発生）とした。
【０２０３】
また、印刷履歴によるトナー回収用現像剤担持体表面へのトナーの蓄積が発生しているかを確認するため、印刷枚数により現像器を取り出して、キャリヤとともに分離されずに同極部（Ｎ５極からＮ３極の間）で表面に付着しているトナー層の表面電位を測定した。
【０２０４】
表面電位の測定に際してはＴＲＥＫ社製表面電位計Ｍｏｄｅｌ３４４を用い、トナー回収用現像剤担持体を接地した状態で測定を行った。評価は、測定したトナー層電位の絶対値が１０Ｖ以下であれば○（特に良好）、１０Ｖを超えて１００Ｖ以下であれば△（良好）、それ以外を×（不良）とした。
【０２０５】
＜実施例＞
図１に示す現像装置を用い、トナー回収用現像剤担持体２６の磁極Ｓ５と対向するようにトナー剥離部材としてのフィルム部材４１を設けた。
【０２０６】
フィルム部材としてはＰＴＦＥ中にカーボンを分散し、フィルム抵抗１０４Ω／□とした、厚み８０μｍのフィルムを用いた。
【０２０７】
フィルム部材への印加電圧は、振幅がｐｅａｋ  ｔｏ  ｐｅａｋで１．４ｋＶ、ＤＣ成分０Ｖ、周波数４ｋＨｚ、Ｄｕｔｙ比５０％の矩形波電圧とした。
【０２０８】
フィルム部材を磁気吸引力によって当接するための磁性部材としては、図１５に示すように磁性粒子をフィルム部材に固定化した。磁性粒子としてはキャリヤ粒子を用いた。
【０２０９】
＜比較例＞
比較例１は、実施例の現像装置から磁性部材を除いた構成とした。さらに比較例２は、その現像装置からトナー剥離部材自体を除いた構成とした。
【０２１０】
（評価結果）
実施例、比較例１、及び比較例２の評価結果を表１に示す。
【０２１１】
【表１】
2010078959.tif 000003
【０２１２】
表１には初期と高温高湿環境放置後の結果を示す。
【０２１３】
表中、実施例と比較例１の磁性部材あり、なしは、それぞれ上述したトナー剥離部材としてのフィルム部材の背面に設けた磁性部材の有無を表す（比較例２は、トナー剥離部材自体を有しない）。
【０２１４】
「現像履歴」は、ゴースト発生状況を前記の基準で判断した評価であり、１枚目から１０００枚目までの各印刷枚数で評価している。
【０２１５】
「トナー層電位」は、トナー回収用現像剤担持体表面における、Ｎ３からＮ５極の間の表面電位を測定した結果を前記の基準で判断した評価であり、これも１枚目から１０００枚目までの各印刷枚数で評価している。
【０２１６】
表１に示したように、初期評価では、トナー剥離部材のない比較例２と比べて、実施例、比較例１ともトナー剥離部材（フィルム部材）の効果が得られている。しかしながら、高温高湿環境放置後では、実施例と比較例１の間で、磁性部材の有無によってトナー剥離部材の効果に相違が生じた。
【０２１７】
高温高湿環境放置の評価後にそれぞれのトナー剥離部材（フィルム部材）を取り外したところ、何れもフィルム部材が湾曲した形状にクリープ変形が生じていること、また比較例の磁性部材なしのフィルム部材の現像剤当接面にはトナーが付着してしまっていることが確認できた。
【０２１８】
以上のことから、磁性部材を設けることで、フィルム部材のクリープ変形が生じた場合においてもトナー剥離部材（フィルム部材）の当接圧が確保できていることが分かる。
【０２１９】
すなわち、本発明に係る、トナー剥離部材を磁気吸引力によって当接する現像装置では、高温高湿環境放置などによってフィルム部材にクリープ変形が生じた場合であっても、トナー回収用現像剤担持体表面への付着トナー量がほとんどない状態で維持することが可能であり、これによってトナー担持体上の現像残トナーのリセット性の安定化、ひいては安定して良好な画像出力が可能である。
【０２２０】
このように、本実施形態に係る現像装置、及び画像形成装置では、トナー回収領域を通過後に、トナー回収した現像剤層を介して、トナー回収用現像剤担持体に当接するトナー剥離部材を設け、バイアス電圧を印加してトナーをトナー回収用現像剤担持体から引き離す方向の電界を形成する。
【０２２１】
これにより、トナー担持体とトナー回収用現像剤担持体間のトナー回収領域でトナー回収電界によってトナー回収用現像剤担持体表面にトナーが偏在、付着しても、トナー剥離部材（フィルム部材）で剥離することが可能となり、トナー担持体からトナー回収用現像剤担持体へのトナー回収を安定させることが可能となる。
【０２２２】
さらに、トナー剥離部材（フィルム部材）の現像剤への当接を磁気吸引力によって行っているので、柔軟なトナー剥離部材（フィルム部材）を用いた場合においても、高温高湿環境放置などによってトナー剥離部材（フィルム部材）のクリープ変形によって当接圧が低下することを抑制できる。また、フィルムの柔軟性による広い当接ニップ幅の確保と安定した当接圧の確保を両立させることが可能となる。
【０２２３】
従って、トナー担持体上の現像残トナーのリセット性が安定して維持でき、現像履歴の影響を受けない安定した良好な画像出力が可能となる。
【０２２４】
すなわち、トナー回収用現像剤担持体によってトナー担持体上の現像残トナーの回収を確実に行い、常にトナー担持体上に安定したトナー層が供給される。これにより、トナー回収能力が持続し、ゴーストの問題が発生しない高画質の画像を長期に渡って得ることができる。
【０２２５】
なお、上述の実施形態は、すべての点で例示であって制限的なものではない。本発明の範囲は上記した説明ではなく特許請求の範囲によって示され、特許請求の範囲と均等の意味及び範囲内でのすべての変更が含まれることが意図される。
【図面の簡単な説明】
【０２２６】
【図１】本発明の一実施形態による現像装置２及びそれを備えた画像形成装置の主要部の構成例を示す断面図である。
【図２】（ａ）現像履歴評価用のチャートを示す図である。合わせて、（ｂ）印刷時のゴースト発生状態の例を示す。
【図３】トナー供給用現像剤担持体、トナー担持体、トナー回収用現像剤担持体に印加される各バイアス電圧、及びトナー蓄積に伴うトナー層電位についての関係を示した図である。
【図４】トナー回収領域９における、トナー回収用現像剤担持体の磁極による現像剤の穂立ちの状態と電界方向へのトナーの移動の様子を示す断面図である。
【図５】トナー蓄積した場合の、トナー供給用現像剤担持体、トナー担持体、トナー回収用現像剤担持体に印加される各バイアス電圧、及びトナー蓄積に伴うトナー層電位についての関係を示した図である。
【図６】トナー剥離部材（フィルム部材）４１を設けた場合の、各バイアス電圧、及びトナー層電位についての関係１を示した図である。
【図７】トナー剥離部材（フィルム部材）４１を設けた場合の、各バイアス電圧、及びトナー層電位についての関係２を示した図である。
【図８】トナー剥離部材（フィルム部材）へのトナー層付着状態について説明するための図である。
【図９】図１の主要部を抜き出して示した図である。
【図１０】トナー供給領域７通過による各部材上のトナー層の変化を示す図である。
【図１１】現像領域８通過による各部材上のトナー層の変化を示す図である。
【図１２】トナー回収領域９通過による各部材上のトナー層の変化を示す図である。
【図１３】トナー剥離領域２９通過による各部材上のトナー層の変化を示す図である。
【図１４】トナー剥離部材（フィルム部材）４１の当接部を示す拡大図である。
【図１５】トナー剥離部材（フィルム部材）４１の磁性部材を不連続体（磁性体粒子）とした一例を示す図である。
【符号の説明】
【０２２７】
１  像担持体
２  現像装置
３  帯電部材
４  露光装置
５  転写ローラ
６  クリーニングブレード
７  トナー供給領域
８  現像領域
９  トナー回収領域
１１  トナー供給用現像剤担持体
１２  スリーブローラ
１３  磁石体
１６  現像剤槽
２４  現像剤
２５  トナー担持体
２６  トナー回収用現像剤担持体
２７  スリーブローラ
２８  磁石体
２９  トナー剥離領域
４１  トナー剥離部材（フィルム部材）
４２  保持電極
４３  磁性部材
【図１】
2010078959.tif 000004
【図２】
2010078959.tif 000005
【図３】
2010078959.tif 000006
【図４】
2010078959.tif 000007
【図５】
2010078959.tif 000008
【図６】
2010078959.tif 000009
【図７】
2010078959.tif 000010
【図８】
2010078959.tif 000011
【図９】
2010078959.tif 000012
【図１０】
2010078959.tif 000013
【図１１】
2010078959.tif 000014
【図１２】
2010078959.tif 000015
【図１３】
2010078959.tif 000016
【図１４】
2010078959.tif 000017
【図１５】
2010078959.tif 000018